(57)【要約】【課題】  簡単な構成であり低コストでありながら、高い断熱性能を備え、それにより、容器内の定温状態を従来のものよりも長時間にわたって維持することのできる保温保冷容器をする。【解決手段】  合成樹脂発泡体製である少なくとも２層以上の容器要素１０、２０が、その間に空間Ｓを形成するようにして一体に組み合わされてなる保温保冷容器１において、空間Ｓ内に、いずれかの容器要素の壁面に全体が密着することのない状態で樹脂フィルム３０を介装する。【選択図】  図１
2005047531.tif 000002
【特許請求の範囲】
【請求項１】
合成樹脂発泡体製である少なくとも２層以上の容器要素がその間に空間を形成するようにして一体に組み合わされてなる保温保冷容器であって、各容器要素は容器本体と蓋とからなり、前記空間は容器本体および蓋の周囲に形成されており、前記空間内には、いずれかの容器要素の壁面に全体が密着することのない状態で樹脂フィルムが介装されていることを特徴とする保温保冷容器。
【請求項２】
空間に面している容器要素の双方または一方の壁面に樹脂フィルムが当該壁面に密着するのを阻止するための突起が形成されていることを特徴とする請求項１に記載の保温保冷容器。
【請求項３】
空間に面している容器要素の双方の壁面の対向した位置に樹脂フィルムが当該壁面に密着するのを阻止することのできる突起が形成されており、介装された樹脂フィルムは対向する突起の間に挟まれた状態となっており、かつ、該対向して形成された突起はスペーサとしての機能も果たすことを特徴とする請求項１に記載の保温保冷容器。
【請求項４】
容器要素は分割片を組み立て構成されたものであることを特徴とする請求項１から３のいずれかに記載の保温保冷容器。
【請求項５】
樹脂フィルムは少なくとも１層の金属層を有することを特徴とする請求項４に記載の保温保冷容器。
【請求項６】
金属層はアルミ蒸着層またはアルミ箔層であることを特徴とする請求項５に記載の保温保冷容器。
【請求項７】
前記空間の厚みは５ｍｍ〜１５ｍｍの範囲である請求項１から６のいずれかに記載の保温保冷容器。
【請求項８】
樹脂フィルムは袋状のものであり、内側の容器要素が袋状の樹脂フィルム内に収容されて上面が該袋状の樹脂フィルムにより気密的に封止されており、その状態で、内側の容器要素が外側の容器要素内に収容された構成を有していることを特徴とする請求項１から７のいずれかに記載の保温保冷容器。
【発明の詳細な説明】
【技術分野】
【０００１】
本発明は保温保冷容器、特に、厳密な定温管理を必要とする商品、例えば、医薬品および血液・臓器などの各種検体輸送や、冷蔵・冷凍食品の宅配などの分野で好適に用いることのできる保温保冷容器に関する。
【背景技術】
【０００２】
保温保冷容器は知られている。例えば、特許文献１（実開平５−８４６３４号公報）には、発泡樹脂または非発泡樹脂からなる外側容器要素と内側容器要素との間に、断熱層として機能する空間を形成した二重容器が記載されている。特許文献２（特開平７−１０１４７４号公報）には、樹脂材料や金属材料で形成した内容器と外容器とを、間に空間を形成するようにして気密状態に一体に組み付け、該空間内に空気より小さな熱伝導率を有するガスを充填した断熱容器が記載されている。同公報には、内容器と外容器とに熱輻射防止用の金属層を設けることにより、空間内の熱輻射の伝熱量が減少し、断熱性能が向上したこと、また、空間内を通気孔を有する仕切り板で仕切る構成としてもよいことが記載されている。
【特許文献１】実開平５−８４６３４号公報
【特許文献２】特開平７−１０１４７４号公報
【発明の開示】
【発明が解決しようとする課題】
【０００３】
特許文献１に記載される二重容器は、比較的簡単な構成でありながら、各容器要素の間の空間が断熱層として有効に機能して所要の保温保冷効果が得られる。例えば、容器内に冷媒を入れて蓋をすることにより、外気温との間に温度差があっても、ある時間内は容器内温度を冷媒温度近傍の定温状態に維持することができる。しかし、その有効時間には限度がある。特許文献２に記載の断熱容器は、内外の容器要素を気密的に分離不能に一体化し、内部に空気より小さな熱伝導率を有するキセノンガスのようにガスを充填した構成であり、特許文献１に記載の形態の容器と比較してかなり長い有効保温保冷時間が得られるものと期待される。しかし、その製造は容易でなく、また、特殊なガスを用いることからコストも高騰する。容器に金属層を形成して、あるいは空間内に仕切り板を配置することにより、断熱効果をさらに向上させることが記載されるとしても、ベースとなる断熱容器の持つ上記した不都合は避けられない。
【０００４】
本発明は、上記のような事情に鑑みてなされたものであり、より簡単な構成でありながら、容器内の定温状態を従来のものよりも長時間にわたって維持できるようにした改良された保温保冷容器を提供することを目的とする。
【課題を解決するための手段】
【０００５】
本発明者らは上記の課題を解決すべく多くの実験を行うことにより、既存の二重保温保冷容器における容器自体の構成を変えることなく、内容器と外容器との間に形成される空間内に樹脂フィルムを介在させて空間を２分する（２層化する）ことによって、定温維持機能を大幅に改善できることを知見した。
【０００６】
本発明は上記知見に基づくものであり、本発明による保温保冷容器は、基本的に、合成樹脂発泡体製である少なくとも２層以上の容器要素がその間に空間を形成するようにして一体に組み合わされてなる保温保冷容器であって、各容器要素は容器本体と蓋とからなり、前記空間は容器本体および蓋の周囲に形成されており、前記空間内には、容器要素のいずれかの壁面に全体が密着することはない状態で樹脂フィルムが介装されていることを特徴とする。
【０００７】
本発明による保温保冷容器において、最も内側の容器要素（仮に、第１層の容器要素という）は、内容物を収容できる収容凹部を持つ容器本体と収容凹部を閉鎖できる蓋を備えるものであれば任意であり、外側形状も箱型や円筒型など任意である。収容凹部には内容物や冷媒を位置決めするための仕切りや凹所が形成されていてもよい。そのような仕切り材を別途挿入するようにしてもよい。
【０００８】
第１層の容器要素を、周囲に空間（仮に、第１の空間という）が形成されるようにして、外側の容器要素（仮に、第２層の容器要素という）内に収容する。容器要素の壁面にスペーサとして機能する突部を形成するなどの手段により、第１の空間を容易に形成することができる。形成される第１の空間内に、第１層の容器要素の外側の壁面および第２層の容器要素の内側の壁面のいずれにも全体が密着することのない状態で樹脂フィルムを介装する。前記空間の幅は５ｍｍ〜１５ｍｍ程度が好ましい。５ｍｍよりも少ないと断熱層としての効果が不十分となる場合があり、１５ｍｍを越えると樹脂フィルムを介装するとしても対流による伝熱量が大きくなる。
【０００９】
このようにして樹脂フィルムを介装することにより、前記第１の空間は樹脂フィルムによって全体があるいは部分的に２層に仕切られた状態となる。樹脂フィルムが空間を形成するいずれの壁面にも接していない場所では空間は２層に仕切られ、樹脂フィルムがいずれかの壁面に接している場所では空間は１層のままである。本発明者らの実験では、空間全体が２層の状態となることなく、一部に１層の部分が存在しても、後の実施例に示すように、断熱効果（定温維持効果）に大きな向上が観察された。理由は定かではないが、空間での対流が樹脂フィルムの存在により抑制されることによると解される。用いる樹脂フィルムも特に制限はなく、単層フィルムでも、多層フィルムでもよい。少なくとも一層にアルミ蒸着層やアルミ箔などの金属層を持つ樹脂フィルムを用いることもできる。この場合には、より長時間にわたる定温維持効果が奏される。これは、金属層の存在により、輻射による伝熱量の減少がさらに生じたからと解される。
【００１０】
もし、樹脂フィルムのすべてが空間を形成するいずれかの壁面に密着した状態となってしまえば、空間の２層化が生じない。それを回避するために、好ましくは、空間に面している容器要素の双方または一方の壁面に、樹脂フィルムが当該壁面に密着するのを阻止するための突起を形成することが望まれる。突起の高さは空間の厚みの１／２程度が好ましい。突起の数が多いと、突起と樹脂フィルムとの間に熱伝導が生じて定温維持効果が低減するので、突起の数は少ない方が望ましい。
【００１１】
前記空間に面している容器要素の双方の壁面の対向した位置に、樹脂フィルムが当該壁面に密着するのを阻止することのできる突起を形成し、介装した樹脂フィルムを該対向する突起の間に挟まれた状態とすると共に、その対向して形成された突起をスペーサとしても機能させるようにすることもできる。この場合には、樹脂フィルムが壁面に接触する面積を安定的に小さくすることができ、空間の２層化程度はより高いものとなる。
【００１２】
空間内に樹脂フィルムを介装する手段は任意である。１つの態様として、袋状の樹脂フィルムを用いる。最初に、定温に維持すべき商品を好ましくは適宜の緩衝材で包装した状態で第１層の容器要素の容器本体に収容し、必要な場合には適宜の冷媒をも同時に収容した後、蓋をする。その第１層の容器要素を袋状の樹脂フィルムの中に入れ、蓋上面で袋の開口側を絞るようにして引き寄せ、熱シールなどにより気密に閉鎖する。どの程度に引き寄せるかは、容器本体に形成する前記した突起やスペーサの位置や個数、形状などに従って調整し、最適な空間の２層化が形成されるようにする。場合によっては、蓋の位置より上位にある樹脂フィルムの部分を蓋の上で折り畳むことによっても、所要の気密性が得られる。その場合には、熱シールは不要である。突起を有しない容器要素の場合でも、蓋上面で袋の開口側を比較的ゆるやかに絞るようにして引き寄せることにより、第１層の容器要素の外側壁面に全体が密着することのない状態で、前記空間内に樹脂フィルムを位置させることができる。
【００１３】
上記のようにして樹脂フィルムを取り付けた第１層の容器要素を第２層の容器要素の容器本体内に落とし込み、蓋をする。それにより、形成された第１の空間内の全域にわたって樹脂フィルムが介装された状態となる。得ようとする保温保冷容器が２層構造のものである場合には、第２層の容器要素全体をストレッチフィルムのような適宜の包装資材で梱包することにより、出荷状態の製品が完成する。
【００１４】
前記したように、第２層の容器要素内に所要の空間を保って第１層の容器要素を収容するために、前記第１の空間に面している容器要素の双方または一方の壁面にスペーサとしての機能を果たす突部を形成することは好ましい。しかし、突部の数および合計面積が大きくなると、そこを介しての熱伝導が大きくなるので、前記突起の場合と同様、スペーサとして機能する突部も、対向する壁面との接触面積が少ない形状であり、かつ、数も少ない方が望ましい。
【００１５】
３層以上の層構成を持つ保温保冷容器を必要とする場合には、前記第１層の容器要素と第１の空間と第２層の容器要素との関係を、順次、さらにその側に展開していけばよい。例えは、３層構造の保温保冷容器とする場合には、前記第２層の容器要素の外側にさらに第３層の容器要素を配置し、その間に、第１の空間と同様な第２の空間を形成すると共に、該第２の空間内に同様にして樹脂フィルムを介在させる。
【００１６】
各容器要素は容器本体と蓋とで構成されるが、それらは一体成形品でもよく、分割片を組み合わせて形成したものであってもよい。後者の場合には、保温保冷容器として使用しないときは、個々に分離して保管することができ、保管スペースを小さくできるメリットもある。いずれの場合も、素材である合成樹脂発泡体は所定の断熱性能が確保されることを条件に任意のものを用いうるが、ポリスチレン系樹脂、ポリプロピレン系樹脂、ポリエチレン系樹脂、ポリエステル系樹脂、またはポリウレタン系樹脂などの発泡体を任意に用いることができる。なかでも、ポリスチレン系樹脂の予備発泡粒子を用いた型内発泡成形品であることは、成形の容易さや強度、耐衝撃性などの理由から特に好ましい。発泡倍率は、求められる断熱性能や容器重量などを勘案して適宜定められるが、２０倍〜１００倍、好ましくは３０倍〜６０倍である。
【発明の効果】
【００１７】
本発明によれば、簡単な構成であり低コストでありながら、高い断熱性能を備え、それにより、容器内の定温状態を従来のものよりも長時間にわたって維持することのできる保温保冷容器が得られる。本発明による保温保冷容器は、多くの物品の定温管理に用いることができるが、特に、医薬品や精密機械のような物品の定温管理に有効である。
【発明を実施するための最良の形態】
【００１８】
以下、図面を参照しながら、本発明による保温保冷容器を２層構造の場合を例として説明する。図１は保温保冷容器１を分解して示す斜視図であり、図２は組み立て後の保温保冷容器の縦断面図である。この例において、保温保冷容器１は、前記第１層の容器要素に相当する内容器１０と、第２層の容器要素に相当する外容器２０と、袋状の樹脂フィルム３０とを備える。
【００１９】
内容器１０は全体の外側形状が箱形であり、容器本体１１と蓋１２からなる。容器本体１１は内部に収容凹部１３を持ち、定温管理しようとする物品が場合によっては適宜の冷媒と共に収容される。容器本体１１と蓋１２はいずれも発泡樹脂の一体成形品であり、その外側壁面は共に平坦面である。容器本体１１の４つの側面および底面のコーナー部近傍には、スペーサとしての機能を果たす数ミリ程度の高さの突部１４が適数形成されており、蓋１２の上壁面には前記突部１４よりも高さの低い突起１５が適数形成されている。突部１４と突起１５は一体成形されたものでもよく、接着剤により後から壁面に貼り付けたものでもよい。
【００２０】
外容器２０もこの例では外側形状が箱形であり、容器本体２１と蓋２２からなる。容器本体２１は収容凹部２３を有し、その形状と大きさは、内壁面に内容器１０に形成した突部１４の先端が接触した状態で、内容器１０の全体が内部に収容され得る形状と大きさとされる。収容凹部２３の深さは、内容器１０を収容して蓋２２をしたときに、内容器１０の上面と蓋２２の裏面との間に内容器１０に形成した突部１４の高さとほぼおなじ幅の隙間が形成されるだけの深さとされる。従って、外容器２０内に内容器１０を収容した状態で、両者の間には幅が内容器１０に形成した突部１４の高さと同じ幅である空間Ｓが、その全周囲にわたって形成される。また、容器本体２１の内側の４つの側面と底面には、内容器１０の蓋１２に形成したと同様な突起２５が適数形成される。
【００２１】
袋状の樹脂フィルム３０は、一層にアルミ蒸着層を形成した多層樹脂フィルムであり、そのフィルムを熱融着などにより内容器１０の横断面形状とほぼ同じ横断面形状でありかつ上方が開放した状態に整形して作られている。袋状の樹脂フィルム３０の横断面の大きさは内容器１０の突部１４の先端の間を繋ぐ線で形成される矩形の大きさとほぼ同じか、あるいは幾分大きな大きさであり、長さは内容器１０の高さの２倍程度である。なお、袋状の樹脂フィルム３０の大きさと形状はこれに限らず、要は、内容器１０を収容した状態で外容器２０内に入れ込んだときに、樹脂フィルム３０が、前記空間Ｓを形成する内容器１０の外側壁面または外容器２０の内側壁面の一方にその全体が密着しない大きさと形状であればよく、特に限定されない。
【００２２】
所要の物品を収容し蓋１２をした状態の内容器１０を袋状の樹脂フィルム３０内に入れる。内容器１０の容器本体１１は外側壁面にスペーサとして機能する突部１４を有しており、樹脂フィルム３０の多くの部分は容器本体１０の壁面から離れた状態となる。内容器１０を外容器２０の容器本体２１内に入れると、樹脂フィルム３０は容器本体２１の内壁面に形成した突起２５により部分的に内側（内容器１０側）に押し出されるようになり、樹脂フィルム３０の多くの部は容器本体２１の内壁面からも離れた状態となる。結果として、外容器２０の容器本体２１の内壁面と内容器１０の４周と底面との間に形成される空間Ｓは樹脂フィルム３０により仕切られて２層に分離する。突部１４の部分では樹脂フィルム３０は容器本体２１の内壁面に密着しており空間Ｓは２層に分離した状態とはならないが、その面積はわずかであり支障とはならない。
【００２３】
袋状の樹脂フィルム３０の上端側を絞るようにして引き寄せ、内容器１０の蓋１２の上で、袋の開口部を熱シールなどにより気密に閉鎖する。蓋１２の上面にも突起１５が形成されており、熱シール後の樹脂フィルム３０が蓋１２の上面に密着することはない。その後、容器本体２１に蓋２２をすることにより、本発明による保温保冷容器は完成する。なお、袋状の樹脂フィルム３０の長さが十分にある場合には、蓋１２より上位にある樹脂フィルム３０の部分を蓋１２の上で折り畳むことにより、所要の気密性が得られる場合もある。外容器２０全体をストレッチフィルム（不図示）のような適宜の包装資材で梱包することにより、出荷状態の製品が完成する。
【００２４】
なお、袋状の樹脂フィルムに代えて、ストレッチフィルムのようなシート状の樹脂フィルムを用いることもできる。その場合には、内容器１０のまわりを、突部１４および突起１５をスペーサとして空間を形成しながら内容器１０を覆うようにして樹脂フィルムを巻き付ける。
【００２５】
図３は、本発明による保温保冷容器１の他の実施例を示す、図２に相当する断面図である。この例では、図１、図２に示した例における「突部」１４に相当するものを有しない。代わりに、前記空間Ｓに面している双方の壁面（内容器１０の外側の壁面と外容器２０の内側の壁面）の対向した位置に、前記「突起」１５、２５に相当する突起１６および突起２６が形成されており、樹脂フィルム３０は２つの突起１６、２６の対向する先端面で挟まれた状態で前記空間Ｓ内に位置している。２つの突起を合わせた長さが「突部」１４の長さと等しくなるようにされており、２つの突起１６、２６は空間Ｓを確保するためのスペーサとしても機能している。この構成では、広い範囲にわたって空間Ｓを樹脂フィルム３０により２層化できる利点がある。
【００２６】
図４は、本発明による保温保冷容器のさらに他の実施例を示す、図２に相当する断面図である。この例では、保温保冷容器１Ａは、内容器１０と外容器２０とが一体成形品ではなく、共に複数の分割片を組み合わせて作られている点で、図１〜図３に示した保温保冷容器と相違している。図示の例では、内容器１０と外容器２０は、共に、壁厚みの１／２の厚さである発泡樹脂板を所要の大きさに裁断して、図示しない適宜の留め材を用いて箱形に組み立てられている。例えば、内容器１０の蓋１２は２枚の板材１２ａと１２ｂとにより、また、外容器２０の蓋２２は２枚の板材２２ａと２２ｂとにより構成されている。このような組み立て容器の場合には、保冷保温容器として使用しないとき複数個の板材に分離して保管することができ、保管スペースを小さくできる利点がある。なお、図４には内容器１０の収容凹部１３に物品を収容する場合の一例も示しており、ここでは、物品Ｋは緩衝材４１で包まれ、それを冷媒４２を収納した冷媒容器４３で全周囲を囲むようにして、内容器１０内に収容されている。
【００２７】
さらに、図４に示す例では、前記「突起」１５、２５、１６、２６に相当するものを壁面に有しない。この場合でも、袋状の樹脂フィルム３０を内容器１０の横断面の外形寸法よりもやや大きめに作り、多少しわのよった状態で内容器１０を包み込む。それを外容器２０に挿入することにより、前記空間Ｓの多くの部分を２層化することができ、十分に高い断熱効果が得られる。
【実施例】
【００２８】
本発明の保温保冷容器の有効性を実施例と比較例により説明する。図１、図２に基づき説明した形状の保温保冷容器１を用意した。内容器１０および外容器２０は共に発泡ポリスチレンの成形品である。内容器１０は、容器本体１１に蓋１２をした状態で、その内寸法は、長さ（４８０ｍｍ）×幅（３３０ｍｍ）×高さ（１６５ｍｍ）であり、外寸法は、長さ（５２３ｍｍ）×幅（３７３ｍｍ）×高さ（２０８ｍｍ）である。すなわち、容器本体１１の壁厚みと蓋１２の厚みは、すべて２１．５ｍｍである。そして、容器本体１１の４周の側壁および底部には、それぞれのコーナー部に近接して高さ７ｍｍの突部１４を設けた。蓋１２の上面には適宜の間隔をおいて高さ３．５ｍｍである細長い突起１５を４箇所に形成した。
【００２９】
外容器２０は、容器本体２１に蓋２２をした状態で、その内寸法は、長さ（５３７ｍｍ）×幅（３８７ｍｍ）×高さ（２２２ｍｍ）であり、外寸法は、長さ（５８０ｍｍ）×幅（４３０ｍｍ）×高さ（２６５ｍｍ）である。すなわち、容器本体２１の壁厚みと蓋２２の厚みは、すべて２１．５ｍｍであり、外容器２０の中に内容器１０を入れたときに、両者の間には全周面にわたって厚さ７ｍｍの空間Ｓが形成される。また、容器本体２１の内側の４周の側壁および底部には、適宜の間隔をおいて高さ３．５ｍｍである細長い突起２５を各４箇所に形成した。
【００３０】
［実施例１］
上記した保温保冷容器Ａと、空間Ｓに介装する樹脂フィルム３０として、厚さ１４５μｍの金属層を持つ多重樹脂フィルム（ナイロン＋ポリエチレン＋アルミ蒸着層＋ポリエチレン：株式会社サンエー化研製）を内容器１０が入り込むことのできる大きさの上方が開放した袋状に整形したものを用いた。内容器１０の容器本体１１内に４℃の水１リットルを入れ、蓋１２をした。それを袋状の樹脂フィルム３０の中に入れ、開放した先端部を蓋１２の上で熱シールにより閉鎖した。それを外容器２０の容器本体２１の中に入れ、蓋２２をして内部を気密に封鎖した。それを３０℃の恒温室に放置して、水温度の変化を１０時間にわたって経時的に測定した。なお、温度は、内容器１０の容器本体１１内のほぼ中央部に配置した温度センサーにより測定した。
［実施例２］
樹脂フィルム３０としてアルミ蒸着層を持たない多層樹脂フィルム（厚さ１５０μｍ）を用いた以外は、実施例１と同様にして水温度の変化を１０時間にわたって経時的に測定した。
【００３１】
［比較例１］
図５ａに示すように、樹脂フィルム３０を空間Ｓに介装しないことを除き、実施例１と同様にして水温度の変化を１０時間にわたって経時的に測定した。
［比較例２］
図５ｂに示すように、上記した保温保冷容器１と同じ発泡樹脂材料により、容器本体１１Ａと蓋１２Ａとからなり、容器本体１１Ａに蓋１２Ａをした状態で、その内寸法が、長さ（４８０ｍｍ）×幅（３３０ｍｍ）×高さ（１６５ｍｍ）であり、外寸法が、長さ（５８０ｍｍ）×幅（４３０ｍｍ）×高さ（２６５ｍｍ）である、単層の容器を用意した。その容器の容器本体内に４℃の水１リットルを入れ、蓋をした。それを３０℃の恒温室に放置して、実施例１と同様に水温度の変化を１０時間にわたって経時的に測定した。
【００３２】
図６はその結果を示している。本発明による保温保冷容器（実施例１、２）では、比較例１（２層構造の容器であるが空間Ｓに樹脂フィルムを介装しないもの）、および比較例２（単層構造の容器であり「空間Ｓ」を持たないもの）と比較して、水温の上昇速度は遅くなっており、高い断熱性能を備えることがわかる。また、実施例１（アルミ層を持つ樹脂フィルムを介装したもの）は実施例２（アルミ層を持たない樹脂フィルムを介装したもの）と比較してさらに水温の上昇速度は遅くなっており、アルミ層が断熱性能の向上に寄与していることもわかる。
【図面の簡単な説明】
【００３３】
【図１】本発明による保温保冷容器の一例を分解して示す斜視図。
【図２】図１に示す保温保冷容器の組み立て後の状態を示す縦断面図。
【図３】本発明による保温保冷容器の他の実施例を示す図２に相当する断面図。
【図４】本発明による保温保冷容器のさらに他の実施例を示す図２に相当する断面図。
【図５】比較例で用いた容器を説明する、図２に相当する断面図。
【図６】実施例および比較例での温度変化を示すグラフ。
【符号の説明】
【００３４】
１…保温保冷容器、１０…内容器（第１層の容器要素）、２０…外容器（第２層の容器要素）、３０…樹脂フィルム、１１、２１…容器本体、１２、２２…蓋、１４…スペーサとしての機能を果たす突部、１５、２５…突起、Ｓ…空間
【図１】
2005047531.tif 000003
【図２】
2005047531.tif 000004
【図３】
2005047531.tif 000005
【図４】
2005047531.tif 000006
【図５】
2005047531.tif 000007
【図６】
2005047531.tif 000008